(57)【要約】【課題】  果実の糖度を増加させることを可能とし、併せて果実の所在の指標としての機能、防虫・防鳥機能を果し得る果実用マグネットを提供することを課題とする。【解決手段】  植物の果梗部ｂに巻回し得る長さを有するテープ２と、このテープ２の裏面側に取り付けられたマグネット３とで構成され、このマグネット３はその一方の極が前記テープ２の両側に分布する方向として取り付け、このマグネット３を果梗部ｂに添わせて巻着し得るようにしたことにある。【選択図】  図１
2005328775.tif 000002
【特許請求の範囲】
【請求項１】
植物の果梗部に巻着し得る長さを有するテープと、このテープの裏面側に取り付けられたマグネットとで構成され、このマグネットはその一方の極が前記テープ両側に分布する方向として取り付けられており、このマグネットを果梗部に添わせて巻着し得るようにしたことを特徴とする果実用マグネット。
【請求項２】
前記テープはプラスチックフィルムからなり、その裏面が接着面とされている請求項１記載の果実用マグネット。
【請求項３】
前記テープの表面が虫除け・鳥除け機能を有する光輝面とされている請求項１または２記載の果実用マグネット。
【請求項４】
前記テープの光輝面がアルミニウム等の金属蒸着膜で構成されている請求項３記載の果実用マグネット。
【請求項５】
前記テープの光輝面が型押しによるホログラムで構成されている請求項３記載の果実用マグネット。
【請求項６】
前記マグネットは、８００〜４０００ガウスの磁力を有している請求項１〜５のいずれか１項記載の果実用マグネット。
【発明の詳細な説明】
【技術分野】
【０００１】
本発明は、植物の果実の糖度の増大を図る果実用マグネットに関する。
【背景技術】
【０００２】
メロンや西瓜、ぶどう、キュウイなどの果物は糖度の高いものが一般に好まれている。
【０００３】
従来のこの種果実の栽培では、肥料や日照等を勘案して糖度の増大を図っているが、十分な成果は得られていない実情におかれていた。
【０００４】
そこで近時、従来の肥料や日照のみに依存することなく果実の糖度を高める手段として、マグネットを果実に取り付けることにより果実の糖度が増すことが知見されている。
【０００５】
これは、マグネットを果実の果梗部に取り付けることにより、養液中のグラスター分子が小さくなり、養液分の吸収が高まるためと推測される。
【０００６】
またカルシウム分の移動が促進される結果、細胞の一つ一つが大きくなり、果実の重量の増加がみられることも判明している。
【０００７】
しかしてマグネットを果実の特に果梗部に取り付けることは必ずしも容易ではない。
【特許文献１】特開平８−８４５３５号公報
【発明の開示】
【発明が解決しようとする課題】
【０００８】
本発明は、果実の糖度を増大させるためのマグネットを果実の果梗部に容易に取り付けることができるようにし、またマグネットの取り付けにより果実の存在位置を明示する指標として機能させ、併せて防虫・防鳥効果をも期すことができる果実用マグネットを提供することを課題としてなされたものである。
【課題を解決するための手段】
【０００９】
上記課題を解決する手段として本発明は、植物の果梗部に巻着し得る長さを有するテープと、このテープの裏面側に取り付けられたマグネットとで構成され、このマグネットはその一方の極が前記テープ面側に分布する方向として取り付けられており、このマグネットを果梗部の外周に添わせるようにしてテープを巻着するようにしたことにある。
【００１０】
請求項２は、前記テープをプラスチックフィルムで構成し、その裏面を接着面として果梗部への巻き付け作業を容易迅速に行えるようにしたものである。
【００１１】
請求項３は、前記テープの表面を虫除け・鳥除け機能を有する光輝面とし、果梗部へ巻着したのちその果実の存在の指標として見やすくすると同時に虫や鳥除けとしたことにある。
【００１２】
請求項４は、前記光輝面をアルミニウム等の金属蒸着膜で構成したことであり、請求項５は前記光輝面を型押しによるホログラムとしたことにある。
【００１３】
そして請求項６は、前記マグネットの磁力を８００〜４０００ガウスに特定したことにある。
【００１４】
本発明の適用対象となる果実としては、マスクメロンを筆頭とする各種メロン類、西瓜、ぶどう等の蔓科のものが最適であるが、柿、梨、りんご、その他の果実への適用も可能である。
【００１５】
なお、ここで云う「果梗部」とは、果実に近い茎を指称するものである。
【発明の効果】
【００１６】
本発明によれば、テープに取り付けられているマグネットを果実の果梗部に添わせるように当てがったのちテープを果梗部に巻き付け、テープ同士を固着させることにより果梗部から離脱することがない状態に取り付けることができ、マグネットを果梗部に密着した状態に維持することができる。
【００１７】
これにより果梗部に対し磁力を有効に作用させて養液分の吸収の促進と果実内でのカルシウム等の物質の移動を促進させ、糖度および重量の増大を図ることができる。
【００１８】
請求項２〜５によれば、テープの裏面が接着面とされているので果梗部への取り付けの際にテープ同士を接着させるだけでよく、他の止着具類を必要としないので果梗部への取り付け作業を一層容易迅速に行うことができる。
【００１９】
またテープの表面が光輝面とされているので、メロンのように葉の陰に隠れた位置にあってもその所在を示す目印として機能し、メロンの所在を分かりやすくすることができる。
【００２０】
併せてテープの光輝面の輝きにより虫や鳥を寄せつけ難くすることができ、防虫・防鳥の面でも効果を発揮する。
【発明を実施するための最良の形態】
【００２１】
図１は本発明による果実用マグネット１の基本的実施形態の裏面を上にして示すもので、果実ａの果梗部ｂ（図４示）に巻回し得る長さを有する帯状のテープ２と、このテープ２の裏面中央部に接着等により取り付けられたマグネット３とで構成されている。
【００２２】
前記テープ２は、例えば厚さ１２μ〜２５μ程度のＰＥＴフィルムが用いられ、長さ６０ｍｍ、幅１５ｍｍ程度とされるが、これらは対象となる果実の果梗部ｂの太さに応じて適宜選択されてよい。
【００２３】
前記マグネット３は、直径５ｍｍ程度の円盤状のもので、８００〜４０００ガウスのものが用いられる。
【００２４】
またこのマグネット３は、図３に示すように一方の極がテープ２の面側に分布する方向として接合されて取り付けられ、その磁力線４が果実の果梗部ｂを効率よく通る方向とされている。
【００２５】
この基本的実施形態においては、マグネット３を果梗部ｂに添わせ、次いでテープ２の両端を反対側でホチキス等の止具により止着することで果梗部ｂへ巻着することができる。
【００２６】
図２は本発明による果実用マグネット１を使いやすくするための実施形態を示す断面図で、テープ２のマグネット３が取り付けられる裏面に耐水性を有する粘着剤が厚さ２０〜４０μ程度塗着されて接着面５とされ、未使用時には剥離紙６に貼布され、テープ２を剥離紙６から剥して使用するように構成されている。
【００２７】
前記テープ２の表面にはアルミニウム等の光輝性のある金属蒸着膜、あるいは型押しによるホログラムが施されて虫除け・鳥除け機能を有する光輝面７とされている。
【００２８】
この実施形態によれば、使用時にテープ２の接着面５から剥離紙６を剥ぎ取り、図４に示すようにマグネット３を果梗部ｂの側面に添わせてテープ２を２つ折りするように果梗部ｂに巻きつけたのちテープ２の端部の接着面５同士を貼り合わせることにより果実用マグネット１を果梗部ｂに巻着することができる。
【００２９】
したがって果実用マグネット１の果梗部ｂへの巻着作業を容易かつ迅速に行うことができるとともに、マグネット３が果梗部ｂの側面に密着した状態を維持するよう確実に巻着することができる。
【００３０】
上記果実用マグネット１を現場において一層使いやすくするため、図５に示すように所要大きさの剥離紙６Ａに複数枚の果実用マグネット１，１…を貼布しておき、この剥離紙６Ａから果実用マグネット１を１枚ずつ剥ぎ取って使用するようにすることにより現場での使い勝手をよくすることができる。
【００３１】
いずれの形態においても、果実用マグネット１を果実ａの果梗部ｂに添わせて固定されるので、図３に示すように磁力線４が果梗部ｂを通り、その結果、養液中のグラスター分子が小さくなり、養液の吸収が高まってカルシウム等の物質の移動が促進され、糖度を上昇させることができる。
【００３２】
またテープ２の表面を光輝面７とした場合には、果梗部ｂへ巻着したのち光輝面７が光を反射するので果実の存在場所がよく分かり、管理上有効に機能すると同時に、光輝面７が輝いて見えることにより害虫や鳥除けとして機能し、虫害・鳥害から果実を護ることができる。
【００３３】
次に上記果実用マグネット１をマスクメロンに適用した実験結果を示す。
【表１】
2005328775.tif 000003
【００３４】
以上の結果からみて、マスクメロンの場合、マスクメロンが肥大化してきた時期、すなわち果実の玉が小さいうちに果梗部ｂに果実用マグネット１を巻着することが最も糖度を増すことが判明した。
【００３５】
マスクメロンの外皮のネットが完成する間近になって果実用マグネット１を巻着した場合は、肥大化時に巻着した場合に比し糖度の増加は若干劣るが、在来の通常栽培に較べれば増加している。
【００３６】
またマスクメロンの重量に関しても、肥大化時に巻着した場合が最も重くなり、ネット完成間近に巻着した場合は若干劣るが、通常の栽培に較べれば増大している。
【００３７】
これら糖度、重量の間には相関関係がみられるが、いずれも果実の肥大化の時期に果実用マグネット１を巻着することが顕著な効果を得ることができる。
【００３８】
上記実験後、（Ａ）、（Ｂ）、（Ｃ）の３種のマスクメロンを不特定の複数の試験者に食べさせたところ、上記の順位通り（Ａ）、（Ｂ）のマスクメロンが在来品（Ｃ）に比し甘いと感じ、また味もよいとの判定を得た。
【図面の簡単な説明】
【００３９】
【図１】本発明による果実用マグネットの基本的実施形態を示す斜視図。
【図２】本発明による果実用マグネットの他の実施形態を示す断面図。
【図３】図１、図２におけるマグネットの磁力線の方向を示す説明図。
【図４】本発明による果実用マグネットをマスクメロンの果梗部に巻着した状態を示す斜視図。
【図５】図２に示した果実用マグネットを使いやすくする形態を示す一部切欠平面図。
【符号の説明】
【００４０】
１  果実用マグネット
２  テープ
３  マグネット
４  磁力線
５  接着面
６、６Ａ  剥離紙
７  虫除け・鳥除け機能を有する光輝面
ｂ  果実の果梗部
【図１】
2005328775.tif 000004
【図２】
2005328775.tif 000005
【図３】
2005328775.tif 000006
【図４】
2005328775.tif 000007
【図５】
2005328775.tif 000008